(57)【特許請求の範囲】
【請求項１】
電気製品が載置台に載置されて収納され、扉が設けられたキャビネットと、このキャビネットの上部に設けられ、蒸気を吸い込む蒸気吸込口、蒸気を排出する蒸気排出口及び送風機を備えた蒸気排出ユニットと、電流遮断手段を介して電気製品に給電する給電手段を有する電気製品収納庫において、前記蒸気吸込口の上流側近傍に前記キャビネット内の空気温度を検知する温度センサーを備え、この温度センサーが設定温度以上の温度を検知したとき前記電流遮断手段を動作させて前記給電手段から電気製品への給電を停止させ、
前記蒸気吸込口は前記蒸気排出ユニットの底面部より上方に向けて形成された凹部の側面と、この凹部の略全体を覆う蒸気分散板の端部間に形成され、前記温度センサーは前記蒸気吸込口の近傍かつ前記凹部の垂直側面に設けられることを特徴とする電気製品収納庫。
【請求項２】
前記温度センサーは前記蒸気吸込口に沿って前記垂直側面に複数個設けられることを特徴とする請求項１に記載の電気製品収納庫。
【発明の詳細な説明】
【技術分野】
【０００１】
本発明は電気製品収納庫に係り、特にキャビネットの空気温度が異常に高くなったことを検知して、電気製品への給電を停止する電気製品収納庫に関する。
【背景技術】
【０００２】
従来、電気製品収納庫に収納された炊飯器、電気ポットあるいはコーヒーメーカーなどの電気製品の加熱時に発生する蒸気を外部に排出するために、電気製品収納庫に蒸気排出ユニットを組み込んでいる。
【０００３】
この種の電気製品収納庫は、システムキッチンに組み込まれて使用されることが多く、美観上及び生活臭をなくすため、キャビネット内部に収納された炊飯器、ポットのような電気製品が外部から見えないように、収納庫の前面に扉を設けている。
【０００４】
しかしながら、従来の収納庫の扉は不透明であるため、キャビネット内に収納された表示ランプの点等状態を視認できず、不便であり、また、万一電気製品から発火があった場合、これを速やかに視認できず危険であった。
【０００５】
そこで、電気製品へ給電する給電手段と、キャビネト内の異常過熱を検知する異常検知手段と、この異常検知手段が異常を検知したとき、電気製品への給電を停止する電気製品収納庫が提案されている（例えば、特許文献１参照）。
【０００６】
しかしながら、特許文献１に記載の電気製品収納庫は、異常検知手段として赤外線センサーを用いるため、キャビネットに熱源部を有する電気製品を載置し、この熱源部にヤカンなどの容器を載置した場合、載置した容器により熱源部が遮蔽されるため、熱源部が異常温度となった場合に検知精度が著しく低下するという問題があった。
【特許文献１】特開２００８−２３０７３号公報
【発明の開示】
【発明が解決しようとする課題】
【０００７】
本発明は上述した事情を考慮してなされたもので、キャビネット内を流れる空気の設定温度以上の温度を確実かつ正確に検知し、キャビネットに収納された電気製品が異常と判断し、電気製品への給電を停止し、安全な電気製品収納庫を提供することを目的とする。
【課題を解決するための手段】
【０００８】
上述した目的を達成するため、本発明に係る電気製品収納庫は、電気製品が載置台に載置されて収納され、扉が設けられたキャビネットと、このキャビネットの上部に設けられ、蒸気を吸い込む蒸気吸込口、蒸気を排出する蒸気排出口及び送風機を備えた蒸気排出ユニットと、電流遮断手段を介して電気製品に給電する給電手段を有する電気製品収納庫において、前記蒸気吸込口の上流側近傍に前記キャビネット内の空気温度を検知する温度センサーを設け、この温度センサーが設定温度以上の温度を検知したとき前記電流遮断手段を動作させて前記給電手段から電気製品への給電を停止させ、前記蒸気吸込口は前記蒸気排出ユニットの底面部より上方に向けて形成された凹部の側面と、この凹部の略全体を覆う蒸気分散板の端部間に形成され、前記温度センサーは前記蒸気吸込口の近傍かつ前記凹部の垂直側面に設けられることを特徴とする。
【発明の効果】
【０００９】
本発明に係る電気製品収納庫によれば、キャビネット内を流れる空気の設定温度以上の温度を確実かつ正確に検知し、キャビネットに収納された電気製品が異常と判断し、電気製品への給電を停止し、安全な電気製品収納庫を提供することができる。
【発明を実施するための最良の形態】
【００１０】
本発明の一実施形態に係る電気製品収納庫について図面を参照して説明する。
【００１１】
図１は本発明の一実施形態に係る電気製品収納庫の正面図、図２は本電気製品収納庫の奥行方向の縦断面図、図３は本電気製品収納庫の扉開放、載置台引き出し時の縦断面図である。
【００１２】
図１〜図３に示すように、本発明の一実施形態に係る電気製品収納庫１は、キャビネット２を備え、このキャビネット２には、半透明の窓３ａを備えた扉３が設けられ、キャビネット２の内部の上部には、蒸気排出ユニット４が設けられ、下部には載置台５が設けられる。
【００１３】
ここで、半透明とは、通常の状態ではキャビネットに収容された電気製品を明確には視認できないが、ＬＥＤの光や炎を視認できる程度の透光性を有するものを意味する。例えば、窓の材質としては、ポリスチレン樹脂、アクリル樹脂、ポリカーボネート、ガラスなどがあげられ、ポリスチレン樹脂、アクリル樹脂、ポリカーボネートは表面にエンボス加工を施し、半透明にし、ガラスは着色コーティングして半透明にする。
【００１４】
扉３はいわゆるスイングダウン方式のヒンジ機構（図示せず）によってキャビネット２に取り付けられ、開放時垂直状態でキャビネット２の前面下方まで移動可能で、載置台５の引き出しの邪魔にならないようになっている。
【００１５】
図４に示すように、蒸気排出ユニット４は、扁平直方体状のユニット本体６を備え、ユニット本体６の外周側面には蒸気排出口７が設けられ、ユニット本体６内には送風機８が設けられ、ユニット本体６の底面部９には、このユニット本体６の一部をなす凹部形成板１０によって形成され、底面が平らで扁平略矩形状の凹部１１が設けられ、この凹部１１の略全体を覆うように平板状の２枚の蒸気分散板１２が取り付けられ、凹部１１から一部突出するアルミ製の区画板１１ａと蒸気分散板１２、１２の端部、及び両蒸気分散板１２、１２の端部間に蒸気吸込口１３、１３が設けられる。
【００１６】
区画板１１ａの垂直側面には、キャビネット２内の温度を検知する複数個例えば２個の温度センサーＳ１、Ｓ２およびヒューズｆ１、ｆ３が設けられ、この温度センサーＳ１、Ｓ２、後述の温度ヒューズｆ１、ｆ３は蒸気吸込口１３に沿って垂直側面に設けられる。
【００１７】
温度センサーＳ１、Ｓ２および温度ヒューズｆ１、ｆ３を凹部１１かつ区画板１１ａの垂直側面に設けることで、目視できず美観に優れる。また、底面部９には温度センサーＳ３と後述のヒューズｆ２、ｆ４が設けられる。
【００１８】
図５に示すように、温度センサーＳ１、Ｓ２、Ｓ３は後述の制御基板１６に接続される。
【００１９】
本実施形態では、区画板と蒸気分散板の端部間に蒸気吸込口を設ける例で説明したが、区画板を設けず、凹部の側面と蒸気分散板の端部間に蒸気吸込口を設け、凹部の側面に温度センサーを設けるようにしてもよい。
【００２０】
電気製品収納庫１に２個の電源が接続され、２個の入力端子、制御基板１６が設けられる。
【００２１】
第１の電流ブレーカーＢ１、第２の電流ブレーカーＢ２と、ユニット本体６に設けた第１の入力端子１７、第２の入力端子１８は、例えば、電気製品収納庫１の設置時などに接続される。
【００２２】
この第１の入力端子１７は、屋内分電盤より分電された電源（電流ブレーカー）に常時接続される常時通電端子であり、この第１の入力端子１７は常時通電を必要とする制御基板入力端子１６ａと、第１の出力端子１９に並列に接続され、第１の入力端子１７と、第１の出力端子１９を介して第１のコンセントＣ１を接続する配線の一側にはヒューズｆ１、ｆ２を介して１第１の電流センサー２０が取り付けられ、この第１の電流センサー２０で検知した温度情報信号は制御基板１６に入力される。
【００２３】
また、第１の入力端子１７と、第１の出力端子１９を介して第１のコンセントＣ１を接続する配線の他側には、電流遮断手段としての第１のリレースイッチ２１が設けられ、この第１のリレースイッチ２１は制御基板１６からの出力によって開放され、この開放は温度センサーＳ１、Ｓ２からの温度情報信号に基づき行われる。
【００２４】
第２の入力端子１８と、第２の出力端子２２を介して第２のコンセントＣ２を接続する配線の一側には温度ヒューズｆ３、ｆ４を介して第２の電流センサー２３が取り付けられ、この第２の電流センサー２３で検知した温度情報信号は制御基板１６に入力される。
【００２５】
また、第２の入力端子１８と、第２の出力端子２２を介して第２のコンセントＣ２を接続する配線の他側には、第２のリレースイッチ２４が設けられ、この第２のリレースイッチ２４は制御基板１６からの出力によって開放され、この開放は温度センサーＳ３からの温度情報信号に基づき行われる。
【００２６】
さらに、制御基板１６は電気製品への給電状態に応じて送風機８の制御を可能にするものであり、制御基板１６には送風機出力端子１６ｂが設けられ、この送風機出力端子１６ｂには送風機８が接続される。
【００２７】
従って、第１のコンセントＣ１あるいは、第１のコンセントＣ１及び第２のコンセントＣ２に接続される電気製品が通電状態であるときは、第１の電流センサー２０、第２の電流センサー２３がその電流を検知し、制御基板１６を介して、送風機８を駆動し、第１の電流センサー２０、第２の電流センサー２３がその電流を検知しないときは、送風機８を停止させる。これにより、省エネルギー運転が可能となる。
【００２８】
また、温度センサーＳ１、Ｓ２、Ｓ３が設定温度以上の温度を検知したときは、両リレースイッチ２１、２４を開放して、電気製品への給電を停止し、安全を図る。
【００２９】
再び図１に示すように、キャビネット２の前面下端２ａ近傍、例えば扉３の下部には、外部とキャビネット２内を連通する第１の吸気口２５が設けられ、キャビネット２の略開口の長手方向の長さと等しい幅を有する。
【００３０】
図２及び図６に示すように、第１の吸気口２５の出口側近傍には、この第１の吸気口２５に沿って延び、断面略Ｌ字状をなし、第１の吸気口２５から吸い込まれた空気を窓３ａに沿って上方に導くガイド部材２６が設けられる。このガイド部材２６の長さは、略第１の吸気口２５の幅に等しい。
【００３１】
また、この第１の吸気口２５の下方には第１の吸気口２５と平行に第２の吸気口２７が設けられる。この第２の吸気口２７は外部とキャビネット２内を連通し、載置台５の前面下端５ａとキャビネット２の底面２ｂ間に設けられ、キャビネット２の略開口の長手方向の長さと等しい幅を有する。
【００３２】
載置台５はキャビネット２の側面２ｓに設けるガイドレール（図示せず）と載置台５に設けるローラ（図示せず）により、引き出し自在に設けられ、載置台５とキャビネット２の底面２ｂ間には、通気路２８をなす、隙間が設けられる。
【００３３】
この通気路２８は入口側で第２の吸気口２７に連通し、出口側で載置台５の後端５ａとキャビネット２の後面２ｒ間に設けられ、空気ガイド用の立上２９ａを備えた後部通気開口２９に連通する。さらに、この通気路２８はキャビネット２の両側面２ｓと載置台５の両側部５ｂで両側部通気開口３０に連通する。
【００３４】
また、図１に示すキャビネット２の後部角部には、後部通気開口２９から吹き出される空気を蒸気排出ユニット４の蒸気吸込口１３に導くガイド部材２６が設けられる。
【００３５】
なお、符号３１は表示部、符号３２は制御スイッチ、符号３３は電気製品の載置限界を決めるストッパーである。
【００３６】
次に本実施形態の電気製品収納庫を用いたキャビネット内の排気作用について説明する。
【００３７】
図３に示すように、扉３を開放し、載置台５を引き出し、載置台５に電気製品例えば炊飯器を載置する。
【００３８】
図８に示すように、扉３を閉め、炊飯を開始する。半透明の窓３ａを備えた扉３により、炊飯器は明確には見えず、美観上好ましくまた、生活臭もない。
【００３９】
炊飯を開始し、炊飯が進行すると、炊飯器から水蒸気が発生し、キャビネット２内に放出される。
【００４０】
一方、炊飯の開始に伴って、送風機８の作用により、外気が第１の吸気口２５及び第２の吸気口２７からキャビネット２内に吸い込まれる。
【００４１】
図８及び図９に示すように、第１の吸気口２５からキャビネット２内に吸い込まれた空気は、第１の吸気口２５の出口側近傍に設けた断面略Ｌ字状のガイド部材２６により、上方に導かれる。
【００４２】
上方に導かれた空気は、ガイド部材２６が略第１の吸気口２５の幅に等しいので、窓３ａの全面に沿って上方に流れ、窓３ａ近傍に停滞する水蒸気を巻き込んで、蒸気吸込口１３、送風機８及び蒸気排出口７から外部に排出される。また、窓３ａに沿って流れる空気流（層）によって、窓３ａにエンボス加工が施されていても、水蒸気が窓３ａに付着するのが防止される。
【００４３】
従って、電気製品に設けたＬＥＤの光や電気製品から発火があっても、これらを視認でき、調理の進行状況や発火を確実に把握できる。
【００４４】
さらに、炊飯器の手前側に滞留する水蒸気を巻き込んで、蒸気吸込口１３、送風機８及び蒸気排出口７から外部に排出される。
【００４５】
これに対して、後部通気開口２９から吹き出された空気は、立上２９ａの作用でキャビネット２の後面２ｒに沿って流れ、ガイド部材２６に案内されて、斜め上方に流れ、炊飯器から発生し主として炊飯器の後側に滞留する水蒸気を巻き込んで、蒸気吸込口１３、送風機８及び蒸気排出口７から外部に排出され、さらに、空気は通気路２８に連通する側部通気開口３０からも吹き出され、側面２ｓに沿って上方に流れ、炊飯器から発生し主として炊飯器の両側に滞留する水蒸気を巻き込んで、蒸気吸込口１３、送風機８及び蒸気排出口７から外部に排出される。
【００４６】
上記のように炊飯器から発生する水蒸気は、第１の吸気口２５及び第２の吸気口２７から吸い込んだ空気により、滞留することなく、速やかかつ確実に外部に排出され、キャビネット２内に水滴が付着することがなく、特に第１の吸気口２５から吸い込まれた空気を窓３ａの全面に沿って流すので、窓３ａへの水蒸気の付着を防止できる。
【００４７】
さらに、炊飯器を用いた炊飯過程において、万一、炊飯器から発火して、キャビネット２内が設置温度以上の高温になると、キャビネット２の空気温度を直接あるいは伝熱性のよいアルミ製の区画板１１ａに設けた温度センサーＳ１、Ｓ２および底面部９に設けた温度センサーＳ３がこれを速やかに検知して、制御基板１６は炊飯器が異常と判断し、第１のリレースイッチ２１、第２のリレースイッチ２４を開放して、炊飯器への給電を止め、炊飯器の燃焼を防ぎ、安全を図ることができる。また、温度ヒューズｆ１〜ｆ４が溶断して、炊飯器への給電を止め、炊飯器の燃焼を防ぎ、安全を図ることができる。
【００４８】
温度センサーＳ１、Ｓ２、Ｓ３による温度検知時、温度センサーＳ１、Ｓ２、Ｓ３は、蒸気吸込口１３と蒸気排出口７の通気路あるいは蒸気排出口７近傍に設けず、蒸気吸込口１３の上流側近傍に設けて、キャビネット２内を流れる空気の温度を検知するので、確実、迅速かつ正確に温度を検知できる。また、特に、温度センサーＳ１、Ｓ２と温度ヒューズｆ１、ｆ３を、蒸気吸込口１３を画成する凹部の垂直側面に設けるので、確実、迅速かつ正確に温度を検知でき、また、電流を遮断できる。さらに、温度センサーＳ１、Ｓ２は蒸気吸込口１３に沿って垂直側面に複数個設けられるので、確実、迅速かつ正確に温度を検知できる。
【００４９】
本実施形態の電気製品収納庫によれば、キャビネット内を流れる空気の設定温度以上の温度を確実かつ正確に検知し、キャビネットに収納された電気製品が異常と判断し、電気製品への給電を停止し、安全な電気製品収納庫が実現する。
【図面の簡単な説明】
【００５０】
【図１】本発明の一実施形態に係る電気製品収納庫の正面図。
【図２】本発明の一実施形態に係る電気製品収納庫の奥行方向の縦断面図。
【図３】本発明の一実施形態に係る電気製品収納庫の扉開放、載置台引き出し時の縦断面図。
【図４】本発明の一実施形態に係る電気製品収納庫に用いる蒸気排出ユニットの斜視図。
【図５】本発明の一実施形態に係る電気製品収納庫に用いる蒸気排出ユニットの電気回路図。
【図６】本発明の一実施形態に係る電気製品収納庫に用いる扉の裏面を示す斜視図。
【図７】本発明の一実施形態に係る電気製品収納庫の使用状態を示す斜視図。
【図８】本発明の一実施形態に係る電気製品収納庫の使用状態の空気流を示す奥行方向の縦断面図。
【図９】本発明の一実施形態に係る電気製品収納庫の使用状態の空気流を示す概念図。
【符号の説明】
【００５１】
１  電気製品収納庫
２  キャビネット
２ａ  前面下端
２ｂ  底面
２ｓ  側面
２ｒ  後面
３  扉
３ａ  窓
４  蒸気排出ユニット
５  載置台
５ａ  後端
５ｂ  側部
６  ユニット本体
７  蒸気排出口
８  送風機
９  底面部
１０  凹部形成板
１１  凹部
１２  蒸気分散板
１３  蒸気吸込口
Ｓ１、Ｓ２、Ｓ３  温度センサー
１６  制御基板
１６ａ  制御基板入力端子
１６ｂ  送風機出力端子
Ｂ１  第１の電流ブレーカー
Ｂ２  第２の電流ブレーカー
１７  第１の入力端子
１８  第２の入力端子
１９  第１の出力端子
Ｃ１  第１のコンセント
Ｃ２  第２のコンセント
２０  第１の電流センサー
２１  第１のリレースイッチ
２２  第２の出力端子
２３  第２の電流センサー
２４  第２のリレースイッチ
２５  第１の吸気口
２６  ガイド部材
２７  第２の吸気口
２８  通気路
２９  後部通気開口
２９ａ  立上
３０  側部通気開口
３１  表示部
３２  制御スイッチ
３３  ストッパー
【図１】
0005224446.tif 000002
【図２】
0005224446.tif 000003
【図３】
0005224446.tif 000004
【図４】
0005224446.tif 000005
【図５】
0005224446.tif 000006
【図６】
0005224446.tif 000007
【図７】
0005224446.tif 000008
【図８】
0005224446.tif 000009
【図９】
0005224446.tif 000010